(57)【要約】【課題】  無駄な端子を作らずに安価で省エネルギーな光学機器を提供すること。【解決手段】  レンズに電源を供給するための電源供給用端子と、レンズの通信機能を確認するための通信機能確認手段を具備したカメラにおいて、通信機能確認手段によってレンズに通信端子機能の切り替え機能があるかどうかを判断し、切り替え機能があると判断した場合はレンズに供給している電源供給用端子をレンズとの通信機能に切り替えることを特徴とする構成とした。【選択図】  図２
2014021414.tif 000002
【特許請求の範囲】
【請求項１】
レンズと通信するための通信手段と、
レンズに電源を供給するための電源供給用端子と、
レンズの通信機能を確認するための通信機能確認手段を具備したカメラにおいて、
前記通信機能確認手段によって
レンズに通信端子機能の切り替え機能があるかどうかを判断し、
切り替え機能があると判断した場合は
レンズに供給している電源供給用端子を
レンズとの通信機能に切り替えることを特徴とする光学機器の通信システム及び制御方式。
【請求項２】
カメラと通信するための通信手段と、
カメラからの電源供給を受けるための電源供給用端子と、
カメラの通信機能を確認するための通信機能確認手段を具備したレンズにおいて、
前記通信機能確認手段によって
カメラに通信端子機能の切り替え機能があるかどうかを判断し、
切り替え機能があると判断した場合は
カメラから供給されている電源供給用端子を
カメラとの通信機能に切り替えることを特徴とする光学機器の通信システム及び制御方式。
【請求項３】
カメラには少なくとも２つの電源供給用端子が具備され、一方の電源供給用端子を通信端子に切り替える場合は、もう一方の電源供給用端子のみでレンズに電源を供給することを特徴とする請求項１に記載の光学機器
の通信システム及び制御方式。
【請求項４】
レンズには少なくとも２つの電源供給用端子が具備され、一方の電源供給用端子を通信端子に切り替える場合は、もう一方の電源供給用端子のみでカメラからの電源供給を受けることを特徴とする請求項２に記載の光学機器
の通信システム及び制御方式。
【請求項５】
前記電源供給用端子から通信端子に切り替えるタイミングは、カメラの撮影モードが動画撮影モード時であることを特徴とする請求項１乃至請求項４の何れか１項に記載の光学機器
の通信システム及び制御方式。
【請求項６】
前記２つの電源供給用端子のひとつは大電力供給用で、もう一方は小電力供給用であり、通信端子に切り替える場合は小電力用の電源端子を使用することを特徴とする請求項４に記載の光学機器
の通信システム及び制御方式。
【発明の詳細な説明】
【技術分野】
【０００１】
本発明は通信システムを有するカメラ装置に関し、特にカメラとレンズの通信方式に関するものである。
【背景技術】
【０００２】
従来、一眼レフカメラにおいてはフィルム交換式であったのに対し、ＣＣＤセンサーやＣＭＯＳセンサー等による電子式撮像素子が一般的に使用されるようになり、デジタル化が進んでいる。これら電子撮像素子はビデオカメラには以前から搭載されていて、システム構成が似ていることから近年ではデジタル一眼レフカメラにおいてもビデオカメラのような動画撮影が可能になっている。このデジタル一眼レフカメラで動画撮影が可能になったことで、従来からの静止画撮影のシステムに加えてビデオカメラの様に動画撮影が可能なカメラとしてレンズも含めた、いわゆる新しいカメラシステム形態が今後必要となってきている。
【０００３】
例えば、特許文献１ではカメラには２つのレンズへの電源供給用端子とレンズとの通信をするための複数の接点が装備されていて、装着されたレンズに応じて電源供給用端子を切り替える旨の内容が開示されている。
【先行技術文献】
【特許文献】
【０００４】
【特許文献１】特開２００２−２４４１８８号公報
【発明の概要】
【発明が解決しようとする課題】
【０００５】
しかしながら、上述の特許文献に開示された従来技術では、新しいレンズが装着された場合は２つの電源供給用端子が使用されることになるが、古いレンズが装着された場合は電源供給用端子が余ってしまうことになる。つまり古いレンズを持ったユーザーにとってはカメラに無駄な端子を設けているため、高価なカメラになってしまう。また新しいレンズが装着された場合も第一と第二の両方の電源供給用端子からレンズに電源供給しているため消費電力的に無駄が発生することになる。
【０００６】
そこで、本発明の目的は、無駄な端子を作らずに安価で省エネルギーな光学機器を提供することである。
【課題を解決するための手段】
【０００７】
上記目的を達成するために、本発明は、レンズと通信するための通信手段と、
レンズに電源を供給するための電源供給用端子と、
レンズの通信機能を確認するための通信機能確認手段を具備したカメラにおいて、
通信機能確認手段によってレンズに通信端子機能の切り替え機能があるかどうかを判断し、切り替え機能があると判断した場合はレンズに供給している電源供給用端子を
レンズとの通信機能に切り替えることを特徴とする。
【０００８】
また、上記目的を達成するために、本発明は、カメラと通信するための通信手段と、
カメラからの電源供給を受けるための電源供給用端子と、
カメラの通信機能を確認するための通信機能確認手段を具備したレンズにおいて、
通信機能確認手段によってカメラに通信端子機能の切り替え機能があるかどうかを判断し、切り替え機能があると判断した場合はカメラから供給されている電源供給用端子をカメラとの通信機能に切り替えることを特徴とする。
【発明の効果】
【０００９】
本発明によれば安価で省エネルギーな光学機器を提供することが可能となる。
【図面の簡単な説明】
【００１０】
【図１】カメラとレンズの内部ブロック図
【図２】電気回路図
【図３】通信波形図
【図４】通信切り替えタイムチャート図
【図５】電源切り替えタイムチャート図
【図６】カメラマイコンフローチャート図
【図７】レンズマイコンフローチャート図
【発明を実施するための形態】
【００１１】
以下に、本発明の好ましい実施の形態を、添付の図面に基づいて詳細に説明する。
【実施例１】
【００１２】
図１は、本発明の実施形態にかかわるカメラとレンズの内部ブロック図である。
【００１３】
同図より、１は交換式オートフォーカスレンズの本体。２はフォーカスレンズユニットで、光軸と水平方向に移動できるメカ機構で、被写体にピントを合わせるためのフォーカスレンズを保持する構成となっている。３はフォーカスユニット２を移動させるためのアクチュエータであるモーター。このモーター３は電磁式、超音波式、ボイスコイル式などが一般的となっている（本実施例では電磁式を採用している）。４はモーター３の回転量と回転速度を検出するための検出ユニットである。モーター３の回転に同期して回転する円盤の円周上を同じピッチで切り欠き、フォトインタラプタ素子を使用して、ＬＥＤから投光された光が受光素子に到達するか遮光されるかで、信号の変化を検出する構成となっている。フォーカスユニット２の移動量はモーター３の回転量と比例する構成となっているため、フォーカスユニット２の４は移動量検出にも使用している。５はフォーカスユニット２の位置を検出するための絶対位置検出ユニットである。これはフォーカスユニット２に連動して移動する複数の金属のブラシと、固定された金属パターンとの導通によって信号が変化し、その信号変化でフォーカスユニット２の現在の絶対位置を検出している。６は書き換え可能な不揮発性メモリーのＥＥＰＲＯＭ（又はフラッシュメモリー）である。このＥＥＰＲＯＭ６に記憶されるデータは、レンズ１の調整データである。７はレンズ１の全ての制御をつかさどるレンズマイコンである。レンズマイコン７にはカメラとの通信を行うための通信コントローラ、リセット例外処理、Ａ／Ｄ、タイマー、入出力ポート、ＲＯＭ、ＲＡＭ等の機能が搭載されている。８はカメラとの通信を行うための複数の金属接点を有する接点ユニットである。カメラ１０側には複数の金属突起があり、レンズ１側にはその突起と接触させるための複数の金属片が埋め込まれている。その複数の突起と金属片の接触を通じてカメラマイコン１２とレンズマイコン７が電気的に接続されている。金属はメカ的に接触しているだけなのでレンズ１を外すことも可能である。またレンズ１はカメラ１０から電源を供給されているため、同様にこの金属接点を通じて供給される。１０はカメラ本体である。１１は被写体までの距離に対するフォーカスユニット２の現在の位置とのフィルム面でのズレ量を測距するための測距ユニットである。オートフォーカスカメラでは複数のラインＣＣＤを使用したピントのズレ方式が一般的となっている。これは被写体のコントラスト（明暗）の違いを読み取り、あらかじめ距離の離れた他のラインＣＣＤと比較し、コントラストが同じになるＣＣＤライン上の位置のズレを検出している。ピントが合っている場合はＣＣＤライン上の同じ位置にコントラストが合う。その他の測距方式として赤外発光（ＩＬＥＤ）体を使用し、三角測距を行うものもある。オートフォーカスに関する詳しい説明は本発明の主旨とは無関係であるため省略する。１２はカメラの全ての制御をつかさどるカメラマイコンである。カメラマイコン１２にはレンズマイコン７との通信を行うための通信コントローラ、Ａ／Ｄ、電流検出器、タイマー、レンズへの電源供給スイッチ、入出力ポート、ＲＯＭ、ＲＡＭ等の機能が搭載されている。１３は被写体像からの反射光を電気信号に変換するためのＣＣＤセンサーである。カメラ１０には、その他、様々な機能が備わっているが、本実施例とは無関係のため省略する。
【００１４】
図２はレンズマイコン７とカメラマイコン１２の通信部分の詳細な回路図である。図中心の点線部分が図１の接点ユニット８であり、カメラ１０からレンズ１への電源供給とカメラマイコン１２とレンズマイコン７の通信を行う複数の端子を具備している。
【００１５】
同図より初めにカメラ１０側の説明を行う。ＢＡＴは電池で、カメラとレンズに電源を供給している。接点ユニット８のＶ１端子はＢＡＴのプラス端子に、ＧＮＤ端子はマイナス端子にそれぞれ接続されている。ＤＣＤＣはＢＡＴから供給されている電圧を変換するためのＤＣ／ＤＣコンバータである。ＤＣ／ＤＣコンバータによって変換された電圧はカメラマイコン１２の電源端子とＳＷ１に接続されていて、ＳＷ１の反対側の端子は接点ユニット８のＶ２端子に接続されている。またＳＷ１はカメラマイコン１２のＣＣＯＮＴ信号によってＯＮ／ＯＦＦの制御が可能である。ＣＣＯＮＴ信号がハイレベルな電圧を出力している時はＳＷ１がＯＮする仕様となっている。レンズ１がカメラ１０に装着された直後のＳＷ１はＯＮ状態になっている。また、Ｖ２端子にはカメラマイコン１２のＵＡＲＴ通信端子であるＣＤＡＴＡが接続されている。
【００１６】
次に図２におけるレンズ１側の説明を行う。
【００１７】
同図よりＲＥＧはＶ１端子からの電圧を変換するためのレギュレータ素子である。レギュレータ素子によって変換された電圧はＳＷ２に接続されていて、ＳＷ２の反対側の端子はダイオード素子であるＤ１のアノード端子に接続されている。Ｖ２端子はダイオード素子であるＤ２のアノード端子とレンズマイコン７のＵＡＲＴ通信端子であるＬＤＡＴＡに接続されている。ダイオード素子Ｄ１、Ｄ２のカソード端子は互いに結線され、レンズマイコン７の電源端子に接続されている。つまり、レンズマイコン７の電源はＤ１、Ｄ２を通じてＶ１端子とＶ２端子の両方から供給される仕様となっている。Ｄ１、Ｄ２を使っている理由として、Ｖ１端子とＶ２端子の電圧に電位差があると、Ｖ１端子とＶ２端子の間で余計な電流が流れるため、ダイオード素子を使うことで電流を流れなくしている。また、図２には記載されていないが、ＤＣ／ＤＣコンバータによって変換された電圧はカメラ１０の測距ユニット１１やＣＣＤセンサー１３にも供給されている。またＶ１端子はレンズ１のモーター３に供給され、Ｄ１、Ｄ２のカソード端子はレンズマイコン７以外に検出ユニット４、ＥＥＰＲＯＭ６にも供給されている。さらにＶ１端子は電池に直に接続されているため、電力の供給能力が高く、ＤＣ／ＤＣコンバータから供給しているＶ２端子はＤＣ／ＤＣコンバータが電圧を変換していることから電力の供給能力がＶ１端子よりも低い仕様となっている。また電池からの電圧をレンズ側のレギュレータ素子とＤＣ／ＤＣコンバータでそれぞれ変換しているが、出力される電圧レベルはほぼ同じとする。但し電圧を変換した場合の効率はＤＣ／ＤＣコンバータの方が良い為、消費電力を考えるとレギュレータ素子の使用は極力、控えた方がカメラの作動時間が長く出来ることになる。
【００１８】
以上の説明からカメラ１０にはＶ１端子とＶ２端子の２つの電源が具備され、レンズ１内のそれぞれの用途に応じて供給されていることが判断できる。
【００１９】
次に図２における通信端子に関して説明を続ける。
【００２０】
図２よりカメラ１０とレンズ１間の通信は各マイコンに設定されたシリアル通信機能によってデータを交換する方式が一般的である。ＣＯＵＴはカメラマイコン１２からレンズマイコン７に対する出力データを送信するための出力端子。ＣＩＮはカメラマイコン１２に対するレンズマイコン７からの出力データを受信する入力端子。ＣＣＬＫはＣＯＵＴ、ＣＩＮのデータ通信において同期をとるためのカメラマイコン１２の同期クロック出力端子。ＬＩＮはレンズマイコン７に対するカメラマイコン１２からの出力データを受信する入力端子。ＬＯＵＴはレンズマイコン７からカメラマイコン１２に対する出力データを送信するための出力端子。ＬＣＬＫはＬＩＮ、ＬＯＵＴのデータ通信において同期をとるためのレンズマイコン７の同期クロック入力端子である。
【００２１】
図３は図２の各通信端子を使って通信を行った場合の電気信号図である。同図より、カメラマイコン１２がレンズマイコン７に対し通信する場合に、同期クロックであるＣＣＬＫがＨｉからＬｏに切り変わったときにＣｏｕｔ端子はレンズマイコン７に対するデータのＨｉ／Ｌｏを切り替える。またＣＩＮにおいてレンズマイコン７も同様にカメラマイコン１２に対するデータのＨｉ／Ｌｏを切り替える。次に同期クロックであるＣＣＬＫがＬｏからＨｉに切り変わったときにＣＩＮ端子はレンズマイコン７からのデータとして内部レジスタに取り込む。またＣＯＵＴにおいてカメラマイコン１２からのデータとしてレンズマイコン７も内部レジスタに取り込む。
【００２２】
このやり取りを合計８回繰り返し、カメラマイコン１２およびレンズマイコン７は１バイトデータとして記憶し、内部処理に使用する。図３においてこの通信がＭＳＢファーストである場合、カメラマイコン１２には１００１１００１Ｂ（９９ｈｅｘ）、レンズマイコン７には００１１１０１０Ｂ（Ｈｅｘ３Ａ）というデータがそれぞれ送信されていることが分かる。ＣＤＡＴＡはＶ２端子を使用した通信を表している。本来、Ｖ２端子は主にレンズマイコン７への電源供給用端子として使用している。しかし、背景技術でも説明した様に近年になって動画撮影機能などの新機能がカメラに搭載され、従来の静止画とは違ったシステムも追加する必要が出てきた。例えば動画撮影によってレンズ１のモーター３はより低速駆動が必要となり、そのモーターの特性情報をカメラに知らせることで、動画に適した制御をカメラは行うことが可能となる。更には動画仕様に関する新たな光学に関する情報などをレンズ側に記憶し、その情報をカメラに送信することで光学特性を考慮した動画像を生成することで、より綺麗で鮮明な画像の録画が可能となる。ところがこれらの情報をカメラに転送しようとしても従来の静止画撮影に関する情報の通信も必要であるため、動画用と静止画用を同時に通信する必要がある。更に動画に対応していない従来のレンズも装着される可能性があるため、動画用として通信端子の機能や仕様を変更することも出来ないことになる。そこで、本発明の主旨として、新機能対応カメラに従来レンズが装着された場合は電源端子として使用する。また動画などの新機能に対応したレンズが装着された場合は、レンズへの電源供給を他の電源端子に振り替え、もともとレンズに供給していた電源端子を新機能専用の通信端子に変更することである。従って図２のＶ２端子は電源供給用端子とＬＤＡＴＡ、ＣＤＡＴＡの様に新たな通信端子を切り替える機能を持たせている。尚、本実施例では電源端子は２本であるため追加可能な通信端子は１本となるが、電源端子の数が多ければ更に通信端子を増やすことが可能である。また、本実施例では１本の通信端子が増えることになるため、１本でも通信可能なＵＡＲＴ通信を行っている。前述の説明内容ではレンズからカメラに情報を送信する仕様になっているが、新機能自体は動画に限らないためカメラからレンズに通信を送ることで機能を満たせる場合もある。
【００２３】
図４はＶ２端子を電源供給状態から通信端子状態に切り替えるまでの各種信号のタイムチャート図である。図２と共にその切り替え方法について説明する。
【００２４】
図４より、ＣＣＬＫは図２で説明したＣＯＵＴ、ＣＩＮのデータ通信において同期をとるためのカメラマイコン１２の同期クロック出力端子である。ＣＣＬＫの信号に変化があった場合はカメラマイコン１２とレンズマイコン７の間で通信が行われていることを表している。図４のＶ１、Ｖ２、ＬＣＯＮＴ、ＣＣＯＮＴはそれぞれ図２のＶ１端子、Ｖ２端子、ＬＣＯＮＴ、ＣＣＯＮＴの信号の変化を表している。初めにカメラ１０にレンズ１が装着されると、カメラマイコン１２はレンズ１に電源を供給するためにＣＣＯＮＴをＨｉレベルにしてＤＣ／ＤＣコンバータからＶ２端子を通してレンズ１に電源供給を行う。レンズ１はカメラ１０からの電源供給を受けるとレンズマイコン７のリセット処理を行い、ＬＣＯＮＴのＬｏレベルを維持する処理を行う。次にカメラの撮影モードが静止画モードから動画モードに切り替えられた場合、Ｖ２端子を電源から通信に切り替えるため、カメラマイコン１２からレンズマイコン７に通信端子に切り替える旨の内容を送信する。レンズマイコン７はその通信を受けると、ＬＣＯＮＴをＨｉレベルにしてＳＷ２をオンすることで電池であるＢＡＴからの電源をＶ１端子とレギュレータ素子を介して受けることになる。この時、レンズマイコン７にはＶ１端子とＶ２端子の両方から電源供給を受けることになるが、Ｄ１、Ｄ２によって電源同士がショートすることは無い。次にカメラマイコン１２はＶ２端子の通信端子への切り替える旨の通信をレンズマイコン７に送信した後、内部のタイマーを動作させ、図４のｔ１の時間が経過するのを待つ。ｔ１の時間が経過したらＣＣＯＮＴをＬｏレベルにしてＳＷ１からの電源供給を遮断する。レンズマイコン７は通信を受信したらこのｔ１の時間内にＳＷ２を切り替える制御にしておくことでレンズ１への電源が途切れることは無い。次にカメラマイコン１２はＣＣＯＮＴをＬｏレベルにしてからの時間を内部タイマーで計測し、ｔ２の時間が経過したらＶ２端子による通信を行う。このｔ２の時間はレンズマイコン７がＶ２端子を電源供給から通信端子に切り替えるための時間である。レンズマイコン７はｔ１の間にＶ１端子を接続し、ｔ２の時間の間にＶ２端子を通信端子に切り替えている。カメラマイコン１２はｔ２の時間が経過したらＶ２端子に接続されているＣＤＡＴＡ、レンズマイコン７はＬＤＡＴＡをそれぞれ使ってＵＡＲＴ通信を開始する。
【００２５】
図５はＶ２端子を通信端子状態から電源供給態状態に切り替えるまでの各種信号のタイムチャート図である。図２と共にその切り替え方法について説明するが、各信号の動作については図４の説明と同じなので省略し、切り替え部分についてのみ説明する。
【００２６】
図５より例えばカメラの撮影モードが動画モードから静止画モードに切り替えられた場合、Ｖ２端子を通信端子から電源端子に切り替えるため、カメラマイコン１２からレンズマイコン７にＶ２端子を電源端子に切り替える旨の内容を送信する。カメラマイコン１２はその通信を送信すると、Ｖ２端子でのＵＡＲＴ通信を中止する。またレンズマイコン７はその通信を受けると、図５のｔ３の時間が経過する前にＶ２端子のＬＤＡＴＡを通信端子から通常のポート端子に切り替える。次にカメラマイコン１２はｔ３の時間が経過したらｔ４の時間が経過する前にＣＣＯＮＴをＨｉレベルにしてＳＷ１をオンすることでＤＣ／ＤＣコンバータからの電源供給を開始する。レンズマイコン７は電源に切り替える通信を受信してからｔ３、ｔ４の時間が経過したらＬＣＯＮＴをＬｏレベルに設定してＳＷ２をオフする。これによってレンズ１への電源供給はＶ２端子からのみに切り替えられたことになる。
【００２７】
図５の説明を補足すると、カメラの撮影モードが動画モードに設定され、一旦、Ｖ２端子を通信端子に切り替えた場合、カメラが静止画モードに切り替わってもＶ２端子での通信を中止するだけでも対応は可能である。但し、前述した通りレギュレータ素子よりもＤＣ／ＤＣコンバータの方が電源を供給した場合の効率が良い為、図５の様に電源端子に切り替えないと無駄な電力を消費することになる。例えば電池の残容量が多ければ通信端子のままとし、少なければ電源端子に切り替えるということでも良い。
【００２８】
図６はカメラマイコン１２の通信処理のフローチャート図である。同図を使ってさらに詳しく説明を行う。
【００２９】
｛ステップ１００｝｛ステップ１０１｝
初めにカメラマイコン１２は装着されたレンズがＶ２端子を使った新通信に対応しているかどうかを判断する。これはレンズマイコン７に対してレンズの種類を特定するための通信をカメラマイコン１２が送信し、レンズマイコン７はこの通信を受け取るとレンズの種類を示す情報を次の通信でカメラマイコン１２に送っている。この通信によってカメラマイコン１２は装着されたレンズが従来の古いレンズなのか動画通信に対応した新しいレンズなのかを判断する。つまりどちらのレンズが装着されてもシステムの互換性が保てることを行っている。装着されたレンズが新通信に対応していないと判断した場合はステップ１０６に移行する。
【００３０】
｛ステップ１０２｝
ステップ１０１でレンズの種類情報を解析した結果、新通信に対応したレンズが装着されたと判断した場合は、現状のカメラの撮影モードが静止画撮影モードなのか動画撮影モードなのかを判断する。
【００３１】
｛ステップ１０３｝
カメラが静止画撮影モードであった場合は現在のＶ２端子が電源端子の設定か通信端子の設定かを判断する。電源端子であった場合はステップ１０６に移行する。現在のＶ２端子の状態を検知する方法として、カメラマイコン１２内部のメモリーに記憶する、ＣＤＡＴＡの通信状態、ＣＣＯＮＴの出力レベルを見る等で可能である。
【００３２】
｛ステップ１０４｝
ステップ１０３でＶ２端子が通信端子であった場合は電源端子に切り替えるための処理を実行する。具体的な説明は図５の説明と同じであるため省略する。
【００３３】
｛ステップ１０５｝
ステップ１０２でカメラが動画撮影モードであった場合はＶ２端子で新しい通信を行うために、電源端子から通信端子に切り替える処理を行う。すでに通信端子に切り替わっている場合は何もせず、ステップ１０６に移行する。具体的な通信端子に切り替える処理の説明は図４の説明と同じであるため省略する。
【００３４】
｛ステップ１０６｝
ＣＣＬＫ、ＣＩＮ、ＣＯＵＴ端子を使った通常の通信をするための処理を行う。この通常の通信において本実施例で必要な通信として、カメラ及びレンズの種類情報とレンズへのＶ２端子切り替え情報である。
【００３５】
｛ステップ１０７｝
通信処理を終了する。
【００３６】
図７はレンズマイコン７がカメラマイコン１２からの通信を受信した時の通信割り込み処理である。同図を使ってレンズマイコン７の処理を説明する。
【００３７】
｛ステップ２００｝｛ステップ２０１｝
初めにレンズマイコン７は取り付けられたカメラがＶ２端子を使った新通信に対応しているかどうかを判断する。これはレンズ装着時にカメラマイコン１２からレンズマイコン７に対してレンズの種類を特定するための通信を送ってくるが、次の通信でレンズの種類を返すと同時にカメラマイコン１２が自分自身の種類情報も送っている。レンズマイコン７はこのカメラの種類情報を基に装着されたカメラが従来の古いカメラなのか動画通信に対応した新しいカメラなのかを判断する。新通信に対応していないカメラの場合はステップ２０２に移行する。
【００３８】
｛ステップ２０２｝
カメラが新通信に対応していないため通常の通信処理を行う。この通常の通信において本実施例で必要な通信として、カメラ及びレンズの種類情報である。
【００３９】
｛ステップ２０３｝
ステップ２０１で新通信対応カメラだった場合、カメラからの通信はＶ２端子の切り替えコマンドかどうかを判断する。切り替えコマンドとは図３で説明した１バイトのデータで本実施例では例えば３ＡＨを切り替えコマンドとする。カメラからの通信が３ＡＨ以外ならステップ２０２に移行する。
【００４０】
｛ステップ２０４｝
レンズマイコン７はステップ２０３で切り替えコマンド（３ＡＨ）を受信したと判断したら、現在のＶ２端子が電源端子なのか通信端子なのかを判断する。レンズマイコン７は切り替えコマンドである３ＡＨを受信するたびに現在のＶ２端子の状態を切り替える処理を行っている。例えば現在のＶ２端子が電源端子の状態で３ＡＨ通信を受信したらＶ２端子を通信端子に切り替え、現在が通信端子なら電源端子に切り替える処理を行う。また、現在のＶ２端子の状態を検知する方法として、レンズマイコン内部のメモリーに記憶する、ＬＤＡＴＡの通信状態、ＬＣＯＮＴの出力レベルを見る等で可能である。
【００４１】
｛ステップ２０５｝
ステップ２０４で現在のＶ２端子が電源状態であった場合はＶ２端子で新しい通信を行うために、電源端子から通信端子に切り替える処理を行う。具体的な通信端子に切り替える処理の説明は図４の説明と同じであるため省略する。
【００４２】
｛ステップ２０６｝
ステップ２０４で現在のＶ２端子が通信端子であった場合は電源端子に切り替えるための処理を実行する。具体的な説明は図５の説明と同じであるため省略する。
【００４３】
｛ステップ２０６｝
レンズマイコン７の通信割り込み処理を終了する。
【００４４】
以上、本発明の好ましい実施形態について説明したが、本発明はこれらの実施形態に限定されず、その要旨の範囲内で種々の変形及び変更が可能である。例えば本実施例ではカメラの撮影モードが動画撮影モード時に電源端子から通信端子に切り替える仕様となっているが、動画撮影モード以外でも良い。すなわち本発明はカメラとレンズに何らかの新仕様が加わり、過去のシステムとの互換性を保ちつつ、かつ新通信も行いたい時に新たに通信端子を拡充せずに対応することが可能である。また、本実施例では複数の電源供給用端子のひとつを通信端子に切り替える仕様だが、電池のマイナス端子であるＧＮＤ端子が複数あるカメラシステムであった場合はそのＧＮＤ端子のひとつを通信端子として使用しても良い。
【００４５】
本発明は動画機能などの新機能を有するレンズ交換式のデジタルカメラシステムに応用可能である。
【符号の説明】
【００４６】
１      レンズ本体
２      フォーカスユニット
３      モーター
４      移動量検出ユニット
５      絶対位置検出ユニット
６      ＥＥＰＲＯＭ
７      レンズマイコン
８      接点ユニット
１０    カメラ本体
１１    測距ユニット
１２    カメラマイコン
１３    ＣＣＤセンサー
【図１】
2014021414.tif 000003
【図２】
2014021414.tif 000004
【図３】
2014021414.tif 000005
【図４】
2014021414.tif 000006
【図５】
2014021414.tif 000007
【図６】
2014021414.tif 000008
【図７】
2014021414.tif 000009